【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
第１の裏面接点ＰＶセルと、
ＰＶモジュールの裏面で前記第１の裏面接点ＰＶセルに結合された第１の予め組み立てられたバスバー構成要素と、
第２の裏面接点ＰＶセルと、
各ＰＶセルの裏面で前記第２の裏面接点ＰＶセルに結合された第２の予め組み立てられたバスバー構成要素と、
を含み、
前記第１の予め組み立てられたバスバー構成要素は、少なくとも第１の接続ジョイントによって前記第２の予め組み立てられたバスバー構成要素と結合される、
ことを特徴とする太陽電池（ＰＶ）モジュール。
【請求項２】
前記第１の予め組み立てられたバスバー構成要素及び第２の予め組み立てられたバスバー構成要素は、半田によって前記第１の接続ジョイントと結合されることを特徴とする請求項１に記載のモジュール。
【請求項３】
前記第１及び第２の予め組み立てられたバスバー構成要素の少なくとも一方が、予め形成されたバスバー構成要素であることを特徴とする請求項１に記載のモジュール。
【請求項４】
前記第１の裏面接点ＰＶセルは、第１のセル半田パッドを有し、前記第２の裏面接点ＰＶセルは、第２のセル半田パッドを有し、
前記第１の予め組み立てられたバスバー構成要素は、第１の細長い本体と、第１の幅及び第１のタブ接続ジョイントを有する第１のバスタブとを有し、
前記第２の予め組み立てられたバスバー構成要素は、第２の細長い本体と、第２の幅及び第２のタブ接続ジョイントを有する第２のバスタブとを有し、
前記第１のセル半田パッド及び前記第２のセル半田パッドの各々が、前記第１及び第２のバスタブの前記第１及び第２の幅と、半田フローの距離と、バスバー配置公差と、バスバータブ公差とに適合するサイズにされる、
ことを特徴とする請求項１に記載のモジュール。
【請求項５】
前記第１の予め組み立てられたバスバー構成要素は、単一に形成され、前記第２の予め組み立てられたバスバー構成要素も、単一に形成されることを特徴とする請求項１または４に記載のモジュール。
【請求項６】
前記第１の予め組み立てられたバスバー構成要素は、前記第１の裏面接点ＰＶセルと整列し、前記第２の予め組み立てられたバスバー構成要素は、前記第２の裏面接点ＰＶセルと整列することを特徴とする請求項１に記載のモジュール。
【請求項７】
前記第１又は第２の予め組み立てられたバスバー構成要素の一方と前記第１の接続ジョイントによって接続され、かつ該第１又は第２の予め組み立てられたバスバー構成要素の他方と第２の接続ジョイントによって接続されたバスバー接続部材、
を更に含むことを特徴とする請求項１に記載のモジュール。
【請求項８】
前記第１及び第２の裏面接点ＰＶセルは、前記第１及び第２の予め組み立てられたバスバー構成要素にそれぞれ結合されたセル接続パッドを有し、
前記セル接続パッドは、８ミリメートルｘ８ミリメートルよりも小さい幅及び長さを有する、
ことを特徴とする請求項１に記載のモジュール。
【請求項９】
第１の予め組み立てられたバスバー構成要素の１つ又はそれよりも多くのタブを第１のＰＶセルの対応する１つ又はそれよりも多くの裏面接触パッドと整列させることを可能にするための手段と、
前記第１の予め組み立てられたバスバー構成要素の前記１つ又はそれよりも多くのタブを前記第１のＰＶセルの前記対応する１つ又はそれよりも多くの裏面接触パッドと接続するための手段と、
第２の予め組み立てられたバスバー構成要素の１つ又はそれよりも多くのタブを第２のＰＶセルの対応する１つ又はそれよりも多くの裏面接触パッドと整列させることを可能にするための手段と、
前記第２の予め組み立てられたバスバー構成要素の前記１つ又はそれよりも多くのタブを前記第２のＰＶセルの前記対応する１つ又はそれよりも多くの裏面接触パッドと接続するための手段と、
少なくとも１つの接続ジョイントを用いて前記第１の予め組み立てられたバスバー構成要素を前記第２の予め組み立てられたバスバー構成要素と接続するための手段と、
を含むことを特徴とする裏面接点太陽電池（ＰＶ）モジュール。
【請求項１０】
前記第１の予め組み立てられたバスバー構成要素を前記第２の予め組み立てられたバスバー構成要素と接続するための前記手段は、バスバー接続部材を更に含むことを特徴とする請求項９に記載のモジュール。
【手続補正２】
【補正対象書類名】明細書
【補正対象項目名】００４０
【補正方法】変更
【補正の内容】
【００４０】
以上の明細書において、本発明をその特定の例示的実施形態を参照して説明した。しかし、特許請求の範囲に説明されるような本発明のより広範な精神及び範囲から逸脱することなく本発明に様々な修正及び変形を加えることができる点は明らかであろう。従って、明細書及び図面は、限定的な意味ではなく例示的な意味でとらえるものとする。
太陽電池（ＰＶ）モジュールは、第１の裏面接点ＰＶセルと、ＰＶモジュールの裏面で前記第１のＰＶセルに結合された第１の予め組み立てられたバスバー構成要素と、第２の裏面接点ＰＶセルと、各ＰＶセルの裏面で前記第２のＰＶセルに結合された第２の予め組み立てられたバスバー構成要素と、を含み、前記第１の予め組み立てられたバスバー構成要素は、少なくとも第１の接続ジョイントによって前記第２の予め組み立てられたバスバー構成要素と結合される。前記第１の予め組み立てられたバスバー構成要素及び第２の予め組み立てられたバスバー構成要素は、半田によって前記第１接続ジョイントと結合される。前記第１及び第２の予め組み立てられたバスバー構成要素の少なくとも一方が、単一バスバー構成要素である。前記第１及び第２の予め組み立てられたバスバー構成要素の少なくとも一方が、予め形成されたバスバー構成要素である。前記第１のＰＶセルは、第１のセル半田パッドを有し、前記第２のＰＶセルは、第２のセル半田パッドを有し、前記第１の予め組み立てられたバスバーは、第１の細長い本体と、第１の幅及び第１のタブ接続ジョイントを有する第１のバスタブとを有し、前記第２バスバー構成要素は、第２の細長い本体と、第２の幅及び第２のタブ接続ジョイントを有する第２のバスタブとを有し、前記第１のセル半田パッド及び前記第２のセル半田パッドの各々が、前記第１及び第２バスバータブの前記第１及び第２の幅と、半田フローの距離と、バスバー配置公差と、バスバータブ公差とに適合するサイズにされる。前記第１の予め組み立てられたバスバー構成要素は、単一に形成され、前記第２の予め組み立てられたバスバー構成要素も、単一に形成される。前記第１の予め組み立てられたバスバー構成要素は、前記第１のセルと整列し、前記第２のバスバーの予め組み立てられた構成要素は、前記第２のセルと整列する。前記第１又は第２の予め組み立てられたバスバー構成要素の一方と前記第１接続ジョイントによって接続され、かつ該第１又は第２の予め組み立てられたバスバー構成要素の他方と第２接続ジョイントによって接続されたバスバー接続部材、を更に含む。前記第１及び第２のＰＶセルと共に配置されてＰＶセルのストリングを形成し、該ＰＶセルのストリングにおける少なくとも１つの他の予め組み立てられたバスバー構成要素に結合された対応する予め組み立てられたバスバー構成要素をセルの各々が有する付加的なＰＶセルと、ＰＶモジュールを形成するように配置された複数の前記ＰＶセルのストリングと、を更に含む。
前記第１及び第２のＰＶセルは、第１及び第２の予め組み立てられたバスバー構成要素にそれぞれ結合されたセル接続パッドを有し、前記セル接続パッドは、８ミリメートルｘ８ミリメートルよりも小さい幅及び長さを有する。前記セル接続パッドの前記幅及び前記長さは、約７ミリメートルｘ６ミリメートルよりも小さい。
裏面接点太陽電池（ＰＶ）モジュールを製作する方法は、第１の予め組み立てられたバスバー構成要素の１つ又はそれよりも多くのタブを第１のＰＶセルの対応する１つ又はそれよりも多くの裏面接触パッドと整列させる段階と、前記第１の予め組み立てられたバスバー構成要素の前記１つ又はそれよりも多くのタブを前記第１のＰＶセルの前記対応する１つ又はそれよりも多くの裏面接触パッドと接続する段階と、第２の予め組み立てられたバスバー構成要素の１つ又はそれよりも多くのタブを第２のＰＶセルの対応する１つ又はそれよりも多くの裏面接触パッドと整列させる段階と、前記第２の予め組み立てられたバスバー構成要素の前記１つ又はそれよりも多くのタブを前記第２のＰＶセルの前記対応する１つ又はそれよりも多くの裏面接触パッドと接続する段階と、少なくとも１つの接続ジョイントを用いて前記第１の予め組み立てられたバスバー構成要素を前記第２の予め組み立てられたバスバー構成要素と接続する段階と、を含む。前記第２の予め組み立てられたバスバー構成要素に対して前記第１の予め組み立てられたバスバー構成要素は、該第１及び第２の予め組み立てられたバスバーが前記第１及び第２のＰＶセルとそれぞれ接続した後に前記少なくとも１つの接続ジョイントで接続される。少なくとも１つの接続ジョイントを用いて前記第１の予め組み立てられたバスバー構成要素を前記第２の予め組み立てられたバスバー構成要素と接続する段階は、少なくとも１つの接続ジョイントを用いて該第１の予め組み立てられたバスバー構成要素を該第２の予め組み立てられたバスバー構成要素に半田付けする段階を含む。前記第１の予め組み立てられたバスバー構成要素及び前記第２の予め組み立てられたバスバー構成要素をバスバー接続部材に接続する段階、を更に含み、前記バスバー接続部材は、前記第１又は第２の予め組み立てられたバスバー構成要素の一方と前記第１の接続ジョイントによって接続され、かつ該第１又は第２の予め組み立てられたバスバー構成要素の他方と第２の接続ジョイントによって接続される。前記バスバー接続部材を前記第１の予め組み立てられたバスバー構成要素及び前記第２の予め組み立てられたバスバー構成要素の各々と接続する段階は、該接続部材を該第１の予め組み立てられたバスバー構成要素及び該第２の予め組み立てられたバスバー構成要素の各々と前記第１及び第２の接続ジョイントで半田付けする段階を含む。
裏面接点太陽電池（ＰＶ）モジュールは、第１の予め組み立てられたバスバー構成要素の１つ又はそれよりも多くのタブを第１のＰＶセルの対応する１つ又はそれよりも多くの裏面接触パッドと整列させることを可能にするための手段と、前記第１の予め組み立てられたバスバー構成要素の前記１つ又はそれよりも多くのタブを前記第１のＰＶセルの前記対応する１つ又はそれよりも多くの裏面接触パッドと接続するための手段と、第２の予め組み立てられたバスバー構成要素の１つ又はそれよりも多くのタブを第２のＰＶセルの対応する１つ又はそれよりも多くの裏面接触パッドと整列させることを可能にするための手段と、前記第２の予め組み立てられたバスバー構成要素の前記１つ又はそれよりも多くのタブを前記第２のＰＶセルの前記対応する１つ又はそれよりも多くの裏面接触パッドと接続するための手段と、少なくとも１つの接続ジョイントを用いて前記第１の予め組み立てられたバスバー構成要素を前記第２の予め組み立てられたバスバー構成要素と接続するための手段と、を含む。前記第１の予め組み立てられたバスバー構成要素を前記第２の予め組み立てられたバスバー構成要素と接続するための前記手段は、バスバー接続部材を更に含む。